(57)【要約】【課題】文字および図形等の挿入を伴う画像編集を容易に行うことができる表示装置等を提供する。【解決手段】表示装置１００は、所定の画像を表示する表示部１０５と、表示部１０５上における、ユーザによる接触操作を検出する操作検出部１０２と、ユーザから文字及び図形の少なくとも一方で構成される記号の入力を受け付ける入力受付部１０１と、入力受付部１０１によって受け付けられた記号を画像に重畳して表示部１０５に表示するとともに、操作検出部１０２によって検出された接触操作に応じて、表示部１０５に表示している画像に対する記号のサイズを変更する表示制御部１０４とを備える。【選択図】図２
2014132430.tif 000002
【特許請求の範囲】
【請求項１】
所定の画像を表示する表示部と、
前記表示部上における、ユーザによる接触操作を検出する操作検出部と、
前記ユーザから文字及び図形の少なくとも一方で構成される記号の入力を受け付ける入力受付部と、
前記入力受付部によって受け付けられた前記記号を前記画像に重畳して前記表示部に表示するとともに、前記操作検出部によって検出された前記接触操作に応じて、前記表示部に表示している前記画像に対する前記記号のサイズを変更する表示制御部とを備える
表示装置。
【請求項２】
前記表示制御部は、前記接触操作が前記記号を表示した領域内で検出された場合、前記接触操作に応じて、前記表示部に表示している前記画像に対する前記記号のサイズを変更し、前記接触操作が前記記号を表示した領域外で検出された場合、前記接触操作に応じて、前記表示部に表示している前記画像および前記記号の表示サイズを同倍率で変更する
請求項１に記載の表示装置。
【請求項３】
前記表示制御部は、
前記接触操作が前記記号を表示した領域内で検出された場合、前記接触操作の一つである第１操作に応じて、前記表示部に表示している前記画像に対する前記記号のサイズを変更し、
前記接触操作が前記記号を表示した領域外で検出された場合、前記第１操作とは異なる前記接触操作である第２操作に応じて、前記表示部に表示している前記画像および前記記号の表示サイズを同倍率で変更する
請求項２に記載の表示装置。
【請求項４】
前記第１操作と前記第２操作とは、前記接触操作に用いられるユーザの指の本数が異なる
請求項３に記載の表示装置。
【請求項５】
前記第１操作は、ドラッグ操作であり、
前記表示制御部は、前記接触操作が前記記号を表示した領域内で検出された場合、前記第１操作として前記表示部上のタッチすべき領域であるタッチ領域を示すマークを前記表示部に表示し、前記第１操作として、前記タッチ領域をタッチしてドラッグするドラッグ操作が前記操作検出部で検出されたときに、前記記号を表示した領域を当該ドラッグ操作の方向に拡大または縮小することで、前記記号のサイズを変更する
請求項３または４に記載の表示装置。
【請求項６】
前記表示制御部は、前記記号を表示した領域を中心とする左右両方の位置に、前記マークを表示する
請求項５に記載の表示装置。
【請求項７】
前記表示制御部は、前記画像および前記記号の表示サイズを同倍率で拡大することにより、前記記号の位置が前記表示部の表示領域外となった場合には、前記画像に対する前記記号の相対的な位置を維持せずに、前記表示部の表示領域内に前記記号の少なくとも一部を表示する
請求項２〜請求項６のいずれか１項に記載の表示装置。
【請求項８】
前記入力受付部は、さらに、前記記号のサイズを確定させる確定操作を受け付け、
前記表示制御部は、前記入力受付部によって前記確定操作が受け付けられた場合、前記画像および前記記号の表示サイズを同倍率で変更するとき、前記画像に対する前記記号の相対的な位置を維持したまま、前記画像および前記記号の表示サイズを同倍率で変更する
請求項２〜請求項６のいずれか１項に記載の表示装置。
【請求項９】
前記表示装置は、さらに、前記表示部に表示されている前記画像に対する前記記号の位置を指定する位置指定部を備え、
前記表示制御部は、前記位置指定部によって指定された位置に、前記記号を表示する
請求項１〜請求項８のいずれか１項に記載の表示装置。
【請求項１０】
前記操作検出部は、さらに、前記接触操作における接触位置を検出し、
前記表示制御部は、前記操作検出部によって検出された前記接触位置が前記記号を表示している領域である場合、前記領域の中央部分が前記接触位置に位置するように前記領域をシフトさせて表示する
請求項１〜請求項９のいずれか１項に記載の表示装置。
【請求項１１】
前記表示装置は、さらに、前記画像を記憶するための記憶部を備え、
前記表示制御部は、前記表示部に表示された前記記号が重畳された前記画像を前記記憶部へ記憶する
請求項１〜請求項１０のいずれか１項に記載の表示装置。
【請求項１２】
前記操作検出部は、前記接触操作としてピンチアウトおよびピンチインの少なくとも１つを検出し、
前記表示制御部は、前記操作検出部によって検出された前記ピンチアウトおよび前記ピンチインの少なくとも１つに応じて、前記表示部に表示している前記画像に対する前記記号のサイズを変更する
請求項１、２、７〜１１のいずれか１項に記載の表示装置。
【請求項１３】
サーバに記憶されている所定の画像を、ネットワークを介して接続される表示装置で表示する表示システムであって、
前記表示装置は、
前記サーバから前記画像を取得する通信部と、
前記画像を表示する表示部と、
前記表示部上における、ユーザによる接触操作を検出する操作検出部と、
前記ユーザから文字及び図形の少なくとも一方で構成される記号の入力を受け付ける入力受付部と、
前記入力受付部によって受け付けられた前記記号を前記画像に重畳して前記表示部に表示するとともに、前記操作検出部によって検出された前記接触操作に応じて、前記表示部に表示している前記画像に対する前記記号のサイズを変更する表示制御部とを備える
表示システム。
【請求項１４】
表示部に所定の画像を表示する表示方法であって、
前記表示部上における、ユーザによる接触操作を検出する操作検出ステップと、
前記ユーザから文字及び図形の少なくとも一方で構成される記号の入力を受け付ける入力受付ステップと、
前記入力受付ステップにおいて受け付けられた前記記号を前記画像に重畳して前記表示部に表示するとともに、前記操作検出ステップにおいて検出された前記接触操作に応じて、前記表示部に表示している前記画像に対する前記記号のサイズを変更する表示制御ステップとを含む
表示方法。
【発明の詳細な説明】
【技術分野】
【０００１】
本発明は、入力された文字および図形等を画像に重畳して表示する表示装置、表示方法および表示システムに関する。
【背景技術】
【０００２】
近年、タッチパネル式のディスプレイを有するスマートフォンおよびタブレット端末等の携帯端末が普及してきている。このような携帯端末において、ディスプレイに表示される文字を拡大すること等が行われている。
【０００３】
このような技術として、表示画面上に表示された文字の中で、タッチパネルでの接触位置に応じた任意の文字を拡大可能とするナビゲーション装置が開示されている（例えば、特許文献１参照）。
【０００４】
また、表示画面上に表示された文字上で、あらかじめ設定された接触動作が検知された場合に、文字の表現を変更する携帯端末が開示されている（例えば、特許文献２参照）。
【０００５】
また、タッチパネル式のディスプレイに表示された画像に対して、文字および図形等を挿入する等の画像編集を行うことがある。このような画像編集では、例えば、定型記号（文字および図形等）を選択画面から選択するか、または、文字入力画面から記号（文字および図形等）を入力することで、これら記号をディスプレイに表示された画像に対して挿入している。
【先行技術文献】
【特許文献】
【０００６】
【特許文献１】特開２００６−０３８５７３号公報
【特許文献２】特開２０１１−２０９９３２号公報
【発明の概要】
【発明が解決しようとする課題】
【０００７】
しかしながら、上記のような記号入力操作では、記号を入力する前にサイズを予め設定している。このため、入力完了後に、記号が挿入された画像全体を確認してみると、バランスが悪く見にくいといった場合がある。この場合には、記号の挿入をキャンセルしてやり直す、または記号のリサイズ（再設定）を行う必要がある。
【０００８】
そこで、本発明は上記の事情に鑑みてなされたものであり、文字および図形等の挿入を伴う画像編集を容易に行うことができる表示装置等を提供することを目的とする。
【課題を解決するための手段】
【０００９】
上記目的を達成するため、本発明に係る表示装置は、所定の画像を表示する表示部と、前記表示部上における、ユーザによる接触操作を検出する操作検出部と、前記ユーザから文字及び図形の少なくとも一方で構成される記号の入力を受け付ける入力受付部と、前記入力受付部によって受け付けられた前記記号を前記画像に重畳して前記表示部に表示するとともに、前記操作検出部によって検出された前記接触操作に応じて、前記表示部に表示している前記画像に対する前記記号のサイズを変更する表示制御部とを備える。
【００１０】
これにより、文字および図形等の記号が挿入された画像全体を確認しながら、記号のサイズを変更することができる。よって、文字および図形等の挿入を伴う画像編集を容易に行うことができる。
【００１１】
また、前記表示制御部は、前記接触操作が前記記号を表示した領域内で検出された場合、前記接触操作に応じて、前記表示部に表示している前記画像に対する前記記号のサイズを変更し、前記接触操作が前記記号を表示した領域外で検出された場合、前記接触操作に応じて、前記表示部に表示している前記画像および前記記号の表示サイズを同倍率で変更してもよい。
【００１２】
これにより、記号のサイズを変更する操作と、画像および記号を含む全体画像の表示サイズを変更する操作とを、簡単に使い分けることができ、画像編集を容易に行うことができる。
【００１３】
また、前記表示制御部は、前記接触操作が前記記号を表示した領域内で検出された場合、前記接触操作の一つである第１操作に応じて、前記表示部に表示している前記画像に対する前記記号のサイズを変更し、前記接触操作が前記記号を表示した領域外で検出された場合、前記第１操作とは異なる前記接触操作である第２操作に応じて、前記表示部に表示している前記画像および前記記号の表示サイズを同倍率で変更してもよい。
【００１４】
これにより、記号のサイズを変更する操作と、全体画像の表示サイズを変更する操作とが異なるので、タッチ位置がずれたために意図しない表示オブジェクトのサイズを変更してしまうという不具合が回避される。
【００１５】
ここで、第１操作および第２操作の具体例として、前記第１操作と前記第２操作とは、前記接触操作に用いられるユーザの指の本数が異なってもよい。
【００１６】
また、前記第１操作は、ドラッグ操作であり、前記表示制御部は、前記接触操作が前記記号を表示した領域内で検出された場合、前記第１操作として前記表示部上のタッチすべき領域であるタッチ領域を示すマークを前記表示部に表示し、前記第１操作として、前記タッチ領域をタッチしてドラッグするドラッグ操作が前記操作検出部で検出されたときに、前記記号を表示した領域を当該ドラッグ操作の方向に拡大または縮小することで、前記記号のサイズを変更してもよい。
【００１７】
これにより、記号のサイズを変更するためにタッチすべき表示領域が明示されるので、ドラッグ操作による記号のサイズ変更が容易になる。
【００１８】
また、前記表示制御部は、前記記号を表示した領域を中心とする左右両方の位置に、前記マークを表示してもよい。
【００１９】
これにより、利き手が左右のどちらであっても使いやすいこと、つまり、ユニバーサルデザインの観点で優れた操作性が実現される。
【００２０】
また、前記表示制御部は、前記画像および前記記号の表示サイズを同倍率で拡大することにより、前記記号の位置が前記表示部の表示領域外となった場合には、前記画像に対する前記記号の相対的な位置を維持せずに、前記表示部の表示領域内に前記記号の少なくとも一部を表示してもよい。
【００２１】
これにより、記号を表示している領域が表示部に表示されなくなることを防止し、常に記号を表示している領域に対する操作を容易に行うことができる。
【００２２】
また、前記入力受付部は、さらに、前記記号のサイズを確定させる確定操作を受け付け、前記表示制御部は、前記入力受付部によって前記確定操作が受け付けられた場合、前記画像および前記記号の表示サイズを同倍率で変更するとき、前記画像に対する前記記号の相対的な位置を維持したまま、前記画像および前記記号の表示サイズを同倍率で変更してもよい。
【００２３】
これにより、確定操作後の全体画像の表示サイズを簡単に変更することができ、全体画像の確認を容易に行うことができる。
【００２４】
また、前記表示装置は、さらに、前記表示部に表示されている前記画像に対する前記記号の位置を指定する位置指定部を備え、前記表示制御部は、前記位置指定部によって指定された位置に、前記記号を表示してもよい。
【００２５】
これにより、入力する記号の位置があらかじめ確定している場合等には、記号の位置を容易に設定することができる。
【００２６】
また、前記操作検出部は、さらに、前記接触操作における接触位置を検出し、前記表示制御部は、前記操作検出部によって検出された前記接触位置が前記記号を表示している領域である場合、前記領域の中央部分が前記接触位置に位置するように前記領域をシフトさせて表示してもよい。
【００２７】
これにより、記号を表示している領域の端部を常に表示することができ、画像に対して記号を表示している領域を配置する際の位置合わせの作業等を容易に行うことができる。
【００２８】
また、前記表示装置は、さらに、前記画像を記憶するための記憶部を備え、前記表示制御部は、前記表示部に表示された前記記号が重畳された前記画像を前記記憶部へ記憶してもよい。
【００２９】
これにより、記号が重畳された画像を記憶することができる。
【００３０】
また、前記操作検出部は、前記接触操作としてピンチアウトおよびピンチインの少なくとも１つを検出し、前記表示制御部は、前記操作検出部によって検出された前記ピンチアウトおよび前記ピンチインの少なくとも１つに応じて、前記表示部に表示している前記画像に対する前記記号のサイズを変更してもよい。
【００３１】
これにより、ピンチアウトおよびピンチインに応じて記号のサイズを変更することができる。
【００３２】
なお、これらの包括的または具体的な態様は、システム、方法、集積回路、コンピュータプログラムまたはコンピュータ読み取り可能なＣＤ−ＲＯＭ（Ｃｏｍｐａｃｔ  Ｄｉｓｃ  Ｒｅａｄ  Ｏｎｌｙ  Ｍｅｍｏｒｙ）などの記録媒体で実現されてもよく、システム、方法、集積回路、コンピュータプログラムおよび記録媒体の任意な組み合わせで実現されてもよい。
【発明の効果】
【００３３】
本発明によれば、文字および図形等の記号が挿入された画像全体を確認しながら、記号のサイズを変更することができる。よって、文字および図形等の挿入を伴う画像編集を容易に行うことができる。
【図面の簡単な説明】
【００３４】
【図１】図１は、本発明に係る表示装置が用いられる表示システムの構成の一例を示すブロック図である。
【図２】図２は、本発明に係る表示装置の一実施の形態の構成を示すブロック図である。
【図３】図３は、実施の形態における表示装置の編集モードでの処理の流れを示すフローチャートである。
【図４】図４は、実施の形態における表示装置の表示画面の一例を示す図である。
【図５】図５は、実施の形態における表示装置の表示画面の一例を示す図である。
【図６】図６は、実施の形態における表示装置の表示画面の一例を示す図である。
【図７】図７は、実施の形態における表示装置の表示画面の一例を示す図である。
【図８】図８は、実施の形態における表示装置の編集モードでの記号領域処理の流れを示すフローチャートである。
【図９】図９は、実施の形態における表示装置の表示画面の一例を示す図である。
【図１０】図１０は、実施の形態における表示装置の表示画面の一例を示す図である。
【図１１】図１１は、実施の形態における表示装置の表示画面の一例を示す図である。
【図１２】図１２は、実施の形態における表示装置の表示画面の一例を示す図である。
【図１３】図１３は、実施の形態における表示装置の編集モードでの全体画像処理の流れを示すフローチャートである。
【図１４】図１４は、実施の形態における表示装置の表示画面の一例を示す図である。
【図１５】図１５は、実施の形態における表示装置の表示画面の一例を示す図である。
【図１６】図１６は、実施の形態における表示装置の表示画面の一例を示す図である。
【図１７】図１７は、実施の形態における表示装置の表示画面の一例を示す図である。
【図１８】図１８は、実施の形態における表示装置の表示画面の一例を示す図である。
【図１９】図１９は、実施の形態における表示装置の表示画面の一例を示す図である。
【図２０】図２０は、実施の形態における表示装置の表示画面の一例を示す図である。
【図２１】図２１は、本発明に係る表示装置の一実施の形態の変形例１の構成を示すブロック図である。
【図２２】図２２は、本発明に係る表示装置の一実施の形態の変形例２の構成を示すブロック図である。
【図２３】図２３は、同変形例２における表示装置の編集モードでの処理の流れを示すフローチャートである。
【図２４】図２４は、同変形例２における表示装置の編集モードでの記号領域処理の流れを示すフローチャートである。
【図２５】図２５は、同変形例２における表示装置の表示画面の一例を示す図である。
【図２６】図２６は、同変形例２における表示装置の表示画面の一例を示す図である。
【図２７】図２７は、同変形例２における表示装置の表示画面の一例を示す図である。
【発明を実施するための形態】
【００３５】
以下、実施の形態について、図面を参照しながら具体的に説明する。
【００３６】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３７】
（実施の形態１）
図１は、本発明に係る表示装置が用いられる表示システムの構成の一例を示すブロック図である。
【００３８】
表示システム１０は、サーバ２０および表示装置１００を備えている。表示装置１００は、ネットワーク３０を介してサーバ２０と接続されている。サーバ２０には、例えばネットワーク３０を介して接続されている機器４０から送信された画像が記憶されている。機器４０は、例えば、パーソナルコンピュータ、デジタル複合機等である。機器４０から送信された画像は、例えば、パーソナルコンピュータ、デジタル複合機等である機器４０から送信されたファクシミリ画像、またはスキャナ画像等である。表示装置１００は、ネットワーク３０を介してサーバ２０から、サーバ２０に記憶されている画像を取得し、取得した画像に対して文字および図形等を重畳する。なお、表示装置１００が文字および図形等を重畳する画像は、サーバ２０から取得した画像に限られるものではない。また、サーバ機能を備えたデジタル複合機をサーバ２０としても良い。
【００３９】
図２は、本発明に係る表示装置の一実施の形態の構成を示すブロック図である。
【００４０】
表示装置１００は、入力された文字および図形等を画像に重畳して表示する装置であり、図２に示すように入力受付部１０１、操作検出部１０２、表示制御部１０３、記憶部１０４、表示部１０５、および通信部１０６を備えている。表示装置１００は、例えば、スマートフォンおよびタブレット端末等の携帯端末、デジタル複合機、およびプリンタ等の各種表示装置として実現される。
【００４１】
入力受付部１０１は、ユーザから文字及び図形の少なくとも一方で構成される記号の入力を受け付ける。具体的には、入力受付部１０１は、表示部１０５に表示された定型文字および定型図形等の複数の定型記号から少なくとも１つの定型記号の選択を受け付ける。また、入力受付部１０１は、文字入力画面から文字および図形等の記号の入力を受け付ける。さらに、入力受付部１０１は、ユーザの指またはタッチペン等による手書き入力を受け付ける。また、入力受付部１０１は、記号の位置およびサイズを確定させる確定操作を受け付ける。ここで、記号（定型記号を含む：以下同様）とは、選択または入力された文字及び図形の少なくとも一方の全体を示している。
【００４２】
操作検出部１０２は、ユーザが表示部１０５上で接触した接触位置および接触操作を検出する。ここで、接触操作とは、表示部１０５上をユーザが接触することによって特定される操作である。例えば２本の指の指間距離を変更する操作（ピンチイン／ピンチアウト）、および指を接触（タッチ）したまま移動する操作（ドラッグ）等である。具体的には、操作検出部１０２は、表示部１０５上の接触位置を検出する。また、操作検出部１０２は、検出された接触位置の移動等に基づいて、ピンチイン、ピンチアウト、およびドラッグ等を検出する。
【００４３】
表示制御部１０３は、表示部１０５に表示している画像に、入力受付部１０１によって受け付けられた記号を重畳して表示部１０５に表示する。また、表示制御部１０３は、接触操作が記号を表示した領域（以下、記号領域という）内で検出された場合、接触操作に応じて、表示部１０５に表示している画像に対する記号の位置およびサイズを変更する。具体的には、記号領域内でピンチインが検出されると、表示制御部１０３は、画像に対して記号のサイズを縮小する。また、記号領域内でピンチアウトが検出されると、表示制御部１０３は、画像に対して記号のサイズを拡大する。さらに、記号領域内をタッチしたドラッグが検出されると、表示制御部１０３は、記号の位置をドラッグされた位置に移動する。
【００４４】
また、表示制御部１０３は、接触操作が記号領域外で検出された場合、接触操作に応じて、表示部１０５に表示している画像および記号の表示サイズを同倍率で変更する。具体的には、記号領域外でピンチインが検出されると、表示制御部１０３は、画像および記号の表示サイズを同倍率で縮小する。また、記号領域外でピンチアウトが検出されると、表示制御部１０３は、画像および記号の表示サイズを同倍率で拡大する。
【００４５】
このとき、表示制御部１０３は、画像および記号の表示サイズを同倍率で拡大することにより、記号の位置が表示部１０５の表示領域外となった場合には、画像に対する記号の相対的な位置を維持せずに、表示部１０５の表示領域内に記号の少なくとも一部を表示する。
【００４６】
また、表示制御部１０３は、操作検出部１０２によって検出された接触位置が記号領域である場合、記号領域の中央部分が接触位置に位置するように記号領域をシフトさせて表示する。さらに、表示制御部１０３は、表示部１０５に表示された記号が重畳された画像を記憶部１０４へ記憶する。
【００４７】
記憶部１０４は、具体的にはメモリまたはハードディスク等であり、画像等を記憶するために用いられる。
【００４８】
表示部１０５は、具体的にはタッチパネル式のディスプレイ等であり、記憶部１０４に格納されている所定の画像を表示する。
【００４９】
通信部１０６は、ネットワーク３０を介してサーバ２０と通信を行い、サーバ２０に記憶されている画像等を取得する。また、記憶制御部（図示しない）は、通信部１０６によってサーバ２０から取得された画像等を記憶部１０４へ記憶する。さらに、通信部１０６は、ネットワーク３０を介してサーバ２０と通信を行い、記憶部１０４に記憶されている画像等を送信する。なお、通信部１０６は、ネットワーク３０を介してサーバ２０と通信を行うだけでなく、例えばブルートゥース、ＩｒＤＡ（Ｉｎｆｒａｒｅｄ  Ｄａｔａ  Ａｓｓｏｃｉａｔｉｏｎ）等の短距離無線通信等を用いて、直接他の機器と通信を行っても構わない。
【００５０】
次に、上記のように構成された表示装置１００における動作について説明する。表示装置１００では、記号を入力し、入力された記号の位置およびサイズを編集する処理（編集モード）と、画像、または入力された記号が重畳された画像を表示する処理（表示モード）とがある。
【００５１】
まず、編集モードについて、説明する。
【００５２】
図３は、本実施の形態における表示装置１００の編集モードでの処理の流れを示すフローチャートである。また、図４〜図６は、本実施の形態における表示装置１００の表示画面の一例を示す図である。
【００５３】
表示制御部１０３は、まず、図４に示すように画像編集の対象となる画像３００を表示部１０５に表示する（ステップＳ１０１）。また、表示制御部１０３は、例えばフリー文字入力モード、定型文字入力モード、手書き入力モード、および消しゴム等を示す複数のアイコン３０２を含むメニューバー３０１も表示部１０５に表示する。フリー文字入力モードでは、入力受付部１０１が、文字入力画面からユーザにより入力された文字および図形等の記号を受け付ける。定型文字入力モードでは、表示制御部１０３が表示部１０５に定型文字および定型図形等の複数の定型記号を表示し、ユーザにより選択された定型記号を入力受付部１０１が受け付ける。手書き入力モードでは、入力受付部１０１が、ユーザの指またはタッチペン等による手書き入力を受け付ける。
【００５４】
ここでは、メニューバー３０１に示される複数のアイコン３０２の中から、フリー文字入力モードを示すアイコン３０３が押下されたとする。フリー文字入力モードを示すアイコン３０３が押下されると、表示制御部１０３は、例えば図５に示すように、（１）文字を入力するための文字入力キーボード３０４、（２）入力された文字を表示する文字入力ボックス３０５、および、（３）画像３００に文字を挿入（重畳）する時に挿入される文字が画像３００に対して実サイズで表示される記号領域３０６を、表示部１０５に表示する（ステップＳ１０２）。このとき、表示制御部１０３は、文字入力キーボード３０４、文字入力ボックス３０５、および記号領域３０６をあらかじめ設定された所定の位置に表示する。
【００５５】
次に、操作検出部１０２は、接触操作を検出したか否かを判定する（ステップＳ１０３）。ここで、操作検出部１０２が接触操作を検出していない場合（ステップＳ１０３でＮｏ）には、入力受付部１０１は、ユーザが文字入力キーボード３０４を用いて入力した文字（記号）を受け付ける（ステップＳ１０４）。図６に示す例では、文字「いつもお世話になっております」が入力されることで、文字入力ボックス３０５および記号領域３０６に文字「いつもお世話になっております」が表示される。
【００５６】
一方、操作検出部１０２が接触操作を検出した場合（ステップＳ１０３でＹｅｓ）には、操作検出部１０２は、検出した接触操作を表示制御部１０３へ通知する。表示制御部１０３は、通知された接触操作が記号領域３０６内で検出されたか否かを判定する（ステップＳ１０５）。この判定の結果、接触操作が記号領域３０６内で検出された場合（ステップＳ１０５でＹｅｓ）には、後述する記号領域３０６に対する処理である記号領域処理を行う（ステップＳ１０６）。一方、接触操作が記号領域３０６外で検出された場合（ステップＳ１０５でＮｏ）には、後述する全体画像に対する処理である全体画像処理を行う（ステップＳ１０７）。ここで、「全体画像」とは、表示部１０５に表示されている全ての表示オブジェクトを指し、例えば、入力された記号が画像に重畳して表示されている場合には、その記号および画像を合わせた全体に相当する。
【００５７】
次に、入力受付部１０１は、記号の入力を確定させる入力確定を受け付けたか否かを判定する（ステップＳ１０８）。具体的には、図６に示すような確定ボタン３０７がユーザにより押下されると、入力受付部１０１は、入力確定を受け付ける。この判定の結果、入力確定が受け付けられていない場合（ステップＳ１０８でＮｏ）には、接触操作を検出したか否かの判定処理（ステップＳ１０３）に戻る。一方、入力確定が受け付けられた場合（ステップＳ１０８でＹｅｓ）には、表示制御部１０３は、図７に示すように文字入力キーボード３０４の表示を消す（ステップＳ１０9）。このとき、表示制御部１０３は、文字入力ボックス３０５および記号領域３０６の表示を残した状態で、表示部１０５での表示を更新する。
【００５８】
次に、入力受付部１０１は、記号の位置およびサイズを確定させる確定操作を受け付けたか否かを判定する（ステップＳ１１０）。具体的には、文字入力キーボード３０４の表示が消えた図７に示すような状態で、確定ボタン３０８がユーザにより押下されると、入力受付部１０１は、記号の位置およびサイズを確定させる確定操作を受け付ける。この判定の結果、確定操作を受け付けられていない場合（ステップＳ１１０でＮｏ）には、接触操作を検出したか否かの判定処理（ステップＳ１０３）に戻る。一方、確定操作を受け付けられた場合（ステップＳ１１０でＹｅｓ）には、入力された記号の位置およびサイズを確定させるまでの処理（編集モード）を終了する。
【００５９】
次に、上記の記号領域処理（ステップＳ１０６）について、説明する。
【００６０】
図８は、本実施の形態における表示装置の編集モードでの記号領域処理の流れを示すフローチャートである。また、図９〜図１２は、本実施の形態における表示装置１００の表示画面の一例を示す図である。
【００６１】
表示制御部１０３は、通知された接触操作がドラッグであるか否かを判定する（ステップＳ２０１）。この判定の結果、接触操作がドラッグである場合（ステップＳ２０１でＹｅｓ）には、表示制御部１０３は、表示部１０５に表示している画像３００に対して、記号領域３０６をドラッグに応じて移動させる（ステップＳ２０２）。接触操作がドラッグでない場合（ステップＳ２０１でＮｏ）には、表示制御部１０３は、通知された接触操作がピンチアウトであるか否かを判定する（ステップＳ２０３）。この判定の結果、接触操作がピンチアウトである場合（ステップＳ２０３でＹｅｓ）には、表示制御部１０３は、ピンチアウトの大きさに応じて、表示部１０５に表示している画像３００に対して、記号領域３０６を拡大させる（ステップＳ２０４）。ここで、記号領域３０６を拡大させるとは、記号領域３０６に表示されている記号のサイズを拡大させることである。例えば、図９に示す状態から、図１０に示すようにユーザが記号領域３０６でピンチアウトした場合、図１１に示すように記号領域３０６が拡大される。すなわち、記号領域３０６に表示されている文字「いつもお世話になっております」のサイズが拡大される。
【００６２】
一方、接触操作がピンチアウトでない、すなわちピンチインある場合（ステップＳ２０３でＮｏ）には、表示制御部１０３は、ピンチインの大きさに応じて、表示部１０５に表示している画像３００に対して、記号領域３０６を縮小させる（ステップＳ２０５）。ここで、記号領域３０６を縮小させるとは、記号領域３０６に表示されている記号のサイズを縮小させることである。
【００６３】
この記号領域処理において、例えばユーザが記号領域３０６をドラッグするために、記号領域３０６にタッチされたことを操作検出部１０２が検出した場合、表示制御部１０３は、記号領域３０６の中央部分が接触位置に位置するように記号領域３０６をシフトさせて表示する。例えば、図１２に示すように記号領域３０６内の位置３０９がタッチされた場合、表示制御部１０３は、位置３０９に記号領域の中央部分が位置するようにシフトさせ、記号領域３１０を表示することになる。この場合、表示制御部１０３は、ドラッグにより移動する際、記号領域３１０の中央位置を基準にして記号領域３１０を移動させる。これにより、記号領域３０６（３１０）の端部を常に表示することができ、画像３００に対して記号領域３０６（３１０）を配置する際の位置合わせの作業等を容易に行うことができる。
【００６４】
次に、上記の全体画像処理（ステップＳ１０７）について、説明する。
【００６５】
図１３は、本実施の形態における表示装置の編集モードでの全体画像処理の流れを示すフローチャートである。また、図１４〜図１９は、本実施の形態における表示装置１００の表示画面の一例を示す図である。
【００６６】
表示制御部１０３は、通知された接触操作がドラッグであるか否かを判定する（ステップＳ３０１）。この判定の結果、接触操作がドラッグである場合（ステップＳ３０１でＹｅｓ）には、表示制御部１０３は、表示部１０５に表示している画像３００および記号領域３０６を表示部１０５の表示領域に対して、ドラッグに応じて移動させる（ステップＳ３０２）。接触操作がドラッグでない場合（ステップＳ３０１でＮｏ）には、表示制御部１０３は、通知された接触操作がピンチアウトであるか否かを判定する（ステップＳ３０３）。この判定の結果、接触操作がピンチアウトである場合（ステップＳ３０３でＹｅｓ）には、表示制御部１０３は、表示部１０５に表示している画像３００および記号領域３０６を、ピンチアウトの大きさに応じて同倍率で拡大させる（ステップＳ３０４）。例えば、図９に示す状態から、図１４に示すようにユーザが記号領域３０６外でピンチアウトした場合、図１５に示すように画像３００および記号領域３０６が同倍率で拡大される。
【００６７】
ここで、例えば、図１６に示す状態から、図１７に示すようにユーザが記号領域３０６外でピンチアウトした場合、そのまま画像３００および記号領域３０６を拡大すると、図１８に示すように記号領域３０６が表示部１０５の表示領域外となる。このような場合、表示制御部１０３は、画像３００に対する記号領域３０６の相対的な位置を維持せずに、図１９に示すように記号領域３０６の一部３１１を表示部１０５の表示領域内に表示する。なお、例えば、ピンチアウトにより画像３００および記号領域３０６を拡大した後、ドラッグにより画像３００および記号領域３０６を移動させることで、記号領域３０６が表示部１０５の表示領域外となる場合も同様である。これにより、記号領域３０６が表示部１０５に表示されなくなることを防止し、常に記号領域３０６に対する操作を容易に行うことができる。
【００６８】
一方、接触操作がピンチアウトでない、すなわちピンチインである場合（ステップＳ３０３でＮｏ）には、表示制御部１０３は、表示部１０５に表示している画像３００および記号領域３０６を、ピンチインの大きさに応じて同倍率で縮小させる（ステップＳ３０５）。
【００６９】
次に、入力された記号の位置およびサイズが確定された後の処理（表示モード）について、説明する。
【００７０】
入力された記号の位置およびサイズが確定された後は、表示制御部１０３は、例えば、図９に示すような記号領域３０６の表示（網掛け部分）を消す。これにより、図２０に示すように画像３００に対して、文字「いつもお世話になっております」が重畳されて表示されることになる。
【００７１】
この表示モードでは、表示制御部１０３は、記号が重畳された画像に対して、編集モードにおける全体画像処理と同様に移動、拡大、および縮小を行う。なお、編集モードと相違する点は、記号領域がない点である。
【００７２】
また、表示モードにおいて、入力受付部１０１で画像を記憶させる記憶操作が受け付けられると、表示制御部１０３は、表示部１０５に表示されている、記号が重畳された画像を記憶部１０４へ記憶する。
【００７３】
以上のように、本実施の形態では、表示制御部１０３は、接触操作が記号領域内で検出された場合、接触操作に応じて、表示部１０５に表示している画像に対する記号の位置およびサイズを変更している。
【００７４】
これにより、記号が挿入された画像全体を確認しながら、記号の位置およびサイズを変更することができる。よって、文字および図形等の挿入を伴う画像編集を容易に行うことができる。
【００７５】
なお、本実施の形態では、操作検出部１０２は、記号のサイズの変更、および、画像および記号の表示サイズの変更を行うための接触操作として、ピンチインおよびピンチアウトを検出しているが、これに限られるものではない。例えば、ピンチインおよびピンチアウトの何れか一方だけを検出しても構わない。また、例えば、操作検出部１０２は、画像に対する記号のサイズの変更、および画像および記号の表示サイズの変更を行うための接触操作として、所定時間以内に連続して２回タッチするダブルタップを検出しても構わない。この場合、表示制御部１０３は、記号のサイズ、および、画像および記号の表示サイズを段階的に設定し、ダブルタップごとに記号のサイズ、および、画像および記号の表示サイズを段階的に順次変更する。
【００７６】
また、本実施の形態では、記号領域処理において、記号領域３０６がタッチされた場合、表示制御部１０３は、記号領域３０６の中央部分がタッチ位置に位置するように記号領域３０６をシフトさせて表示しているが、これに限られるものではない。例えば、表示制御部１０３は、記号領域３０６をシフトさせて表示しなくてもよい。この場合、表示制御部１０３は、記号領域３０６のタッチ位置を基準にして記号領域３０６を移動させればよい。
【００７７】
（変形例１）
次に、本実施の形態で説明した表示装置１００の構成を変更した変形例１について説明する。
【００７８】
図２１は、本発明に係る表示装置の変形例１の構成を示すブロック図である。
【００７９】
表示装置２００は、上記の表示装置１００の構成に加えて、図２１に示すように位置指定部２０１を備えている。
【００８０】
位置指定部２０１は、表示部１０５に表示されている画像に対する記号の位置を指定する。この表示装置２００では、入力受付部１０１が文字入力キーボード３０４から記号を受け付ける前に、位置指定部２０１は、例えばユーザから入力される記号の位置を受け付け、位置を指定する。そして、表示制御部２０２は、入力される記号が画像に対して実サイズで表示される記号領域を、位置指定部２０１で指定された表示部１０５上の位置に表示する。
【００８１】
これにより、入力する記号の位置があらかじめ確定している場合等には、記号の位置を容易に設定することができる。
【００８２】
（変形例２）
次に、本実施の形態で説明した表示装置１００の構成を変更した変形例２について説明する。
【００８３】
図２２は、本発明に係る表示装置の一実施の形態の変形例２（表示装置２５０）の構成を示すブロック図である。表示装置２５０は、入力された文字および図形等を画像に重畳して表示する装置であり、図２２に示すように入力受付部１０１、操作検出部１０２、表示制御部２５２、記憶部１０４、表示部１０５、および通信部１０６を備えている。
【００８４】
この表示装置２５０は、基本的には、上記実施の形態における表示装置１００と同じ機能を有するが、上記実施の形態における表示制御部１０３と異なる機能を有する表示制御部２５２を備える。以下、上記実施の形態と同じ構成要素については同じ符号を付し、異なる点を中心に説明する。
【００８５】
表示制御部２５２は、表示部１０５に表示している画像に、入力受付部１０１によって受け付けられた記号を重畳して表示部１０５に表示する点については、上記実施の形態と同じ機能を有する。ただし、本変形例では、表示制御部２５２は、操作検出部１０２で検出された接触操作が記号を表示した領域内で検出された場合、接触操作の一つである第１操作に応じて、表示部１０５に表示している画像に対する記号のサイズを変更する。一方、表示制御部２５２は、操作検出部１０２で検出された接触操作が記号を表示した領域外で検出された場合、第１操作とは異なる接触操作である第２操作に応じて、表示部１０５に表示している画像および記号の表示サイズを同倍率で変更する。つまり、本変形例では、記号のサイズを変更する操作と、全体画像の表示サイズを変更する操作とが異なる。
【００８６】
ここで、第１操作と第２操作とは、接触操作に用いられるユーザの指の本数が異なる。本変形例では、第１操作は、例えば、ユーザの一本指による操作であり、より具体的には、ドラッグ操作である。一方、第２操作は、例えば、ユーザの二本以上の指による操作であり、より具体的には、ピンチインおよびピンチアウトである。なお、第１操作および第２操作は、異なる接触操作であれば何でもよく、たとえば、表示部１０５へのタッチ時間の長さが異なる操作（長押し、および、短押し）であってもよい。
【００８７】
図２３は、本変形例における表示装置２５０の編集モードでの処理の流れを示すフローチャートである。ここでの処理は、上記実施の形態における図３のＳ１０５〜Ｓ１０７に相当する。
【００８８】
表示制御部２５２は、操作検出部１０２から通知された接触操作が記号領域３０６内で検出されたか否かを判定する（ステップＳ４００）。この判定の結果、接触操作が記号領域内で検出された場合（ステップＳ４００でＹｅｓ）には、表示制御部２５２は、記号領域に対する処理である記号領域処理を行う（ステップＳ４０１）。一方、接触操作が記号領域外で検出された場合（ステップＳ４００でＮｏ）には、表示制御部２５２は、全体画像に対する処理である全体画像処理を行う（ステップＳ４０２）。なお、ステップＳ４０２は、例えば、上記実施の形態におけるステップＳ１０７と同じ処理である。
【００８９】
ここで、上記実施の形態と異なる点は、本変形例では、記号領域処理（Ｓ４０１）に、第１操作による記号のサイズ変更が含まれることである。さらに、全体画像処理（Ｓ４０２）に、第１操作とは異なる第２操作による画像および記号に対する同倍率のサイズ変更が含まれることである。つまり、本変形例では、記号だけをサイズ変更する操作と、画像および記号の両方を同時にサイズ変更（全体画像の表示サイズを変更）する操作とが異なる。
【００９０】
これにより、表示部１０５でのタッチ位置のずれ等によって意図しない表示オブジェクト（記号または全体画像）がサイズ変更されてしまうということが回避される。
【００９１】
つまり、上記実施の形態では、記号だけのサイズ変更も全体画像のサイズ変更も、操作は共通していた（いずれも、ピンチインおよびピンチアウトであった）。いずれの表示オブジェクトに対するサイズ変更であるかは、タッチ位置で決定された。そのために、表示オブジェクトのサイズが小さい場合等において、タッチ位置が少しずれたために、その後の共通の操作（つまり、ピンチインまたはピンチアウト）によって意図しない表示オブジェクトのサイズが変更されてしまう恐れがあった。本変形例によれば、対象の表示オブジェクトに依存してサイズ変更の操作が異なるので、このような誤操作が回避される。
【００９２】
図２４は、本変形例における表示装置２５０の編集モードでの記号領域処理（Ｓ４０１）の流れを示すフローチャートである。つまり、図２３のステップＳ４０１の詳細な流れが示されている。
【００９３】
表示制御部２５２は、操作検出部１０２で検出された接触操作が記号を表示した領域内で検出された場合、第１操作として表示部１０５上のタッチすべき領域であるタッチ領域を示すマークを表示部１０５に表示する（Ｓ４１０）。たとえば、図２５に示される表示画面例のように、表示制御部２５２は、記号領域３０６を囲む四角い枠の角、または、角に隣接した外側（本変形例では４つの角の外側）に、四角形のマーク３２０ａ〜３２０ｄを表示する。なお、本表示例では、四角い枠も同時に表示されているが、マーク３２０ａ〜３２０ｄだけが表示されてもよい。
【００９４】
そして、表示制御部２５２は、操作検出部１０２によりドラッグ操作が検出された否かを判断する（Ｓ４１１）。その結果、ドラッグ操作が行われたと判断した場合には（Ｓ４１１でＹｅｓ）、表示制御部２５２は、続いて、そのドラッグ操作がマーク３２０ａ〜３２０ｄをタッチしたドラッグ操作であるか否かを判断する（Ｓ４１２）。
【００９５】
その結果、マーク３２０ａ〜３２０ｄをタッチしたドラッグ操作であると判断した場合には（Ｓ４１２でＹｅｓ）、表示制御部２５２は、記号領域３０６をドラッグ操作の方向にスケーリング（拡大または縮小）することで、記号だけのサイズ変更をする（Ｓ４１３）。たとえば、表示制御部２５２は、図２６に示される表示画面例のように、右下のマーク３２０ｄがタッチされてドラッグされた場合には、記号領域３０６の左上の角を固定したまま、ドラッグ操作に応じて記号領域３０６の右下の角を移動させる。つまり、表示制御部２５２は、記号領域３０６をスケーリング（拡大または縮小）する。これにより、記号領域３０６のスケーリングに合わせて、記号領域３０６内の記号のサイズが拡大または縮小される。
【００９６】
一方、ステップＳ４１２において、マーク３２０ａ〜３２０ｄをタッチしたドラッグ操作でないと判断した場合には（Ｓ４１２でＮｏ）、表示制御部２５２は、記号領域３０６の全体を、そのドラッグ操作の方向に沿って移動させる（Ｓ４１４）。この処理（Ｓ４１２）は、上記実施の形態におけるステップＳ２０２と同じである。
【００９７】
なお、図２４のフローチャートでは、記号領域３０６がタッチされた後、ドラッグ操作が行われた場合（Ｓ４１１でＹｅｓ）に着目した処理だけが示されている。よって、記号領域３０６がタッチされた後、ドラッグ操作が行われない、または、他の接触操作が行われた場合には（Ｓ４１１でＮｏ）、表示制御部２５２は、なんの処理もしない（その操作を無視する）か、または、その接触操作に応じた他の処理をする。たとえば、記号領域３０６がタッチされた後、ピンチインまたはピンチアウトが検出された場合には、表示制御部２５２は、事前の設定に応じて、その操作を無視する、または、記号領域３０６と画像の両方（全体画像）を同倍率でサイズ変更する。
【００９８】
以上のように、本変形例によれば、タッチ位置によって決定される表示オブジェクトの種類（記号か、全体画像か）に依存して、サイズ変更の操作が異なる。よって、タッチ位置がずれたために、意図しない表示オブジェクトのサイズが変更されてしまうという不具合が回避される。たとえば、全体画像（記号領域３０６および画像の両方）をサイズ変更しようとして、誤って記号領域３０６をタッチしてピンチインまたはピンチアウトをしてしまったとする。この場合、本変形例によれば、マーク３２０ａ〜３２０ｄをタッチしたドラッグ操作ではないために、その操作が無視される、あるいは、全体画像の表示サイズが変更される（つまり、記号領域３０６だけがサイズ変更されてしまうことが回避される）。
【００９９】
また、本変形例によれば、記号領域３０６を囲む四角い枠をサイズ変更する直観的な操作によって、記号領域３０６内の記号のサイズを変更することができる。
【０１００】
なお、上記例では、表示制御部２５２は、記号領域３０６がタッチされたことが検出された場合に、記号領域３０６を囲む四角い枠の角、または、当該角に隣接した外側に、４つのマーク３２０ａ〜３２０ｄを表示したが、これに限られない。表示制御部２５２は、少なくとも一つのマークを表示してもよい。少なくとも一つのマークが表示されれば、記号領域３０６のサイズ変更が可能になるからである。
【０１０１】
また、表示制御部２５２は、記号領域３０６を囲む四角い枠の角に代えて、あるいは、その角に加えて、記号領域３０６を囲む四角い枠の辺、または、当該辺に隣接した外側に、ドラッグ操作用のマークを表示してもよい。これにより、記号領域３０６を囲む四角い枠をサイズ変更する直観的な操作によって、記号領域３０６内の記号のサイズ変更が可能になる。
【０１０２】
そのとき、表示制御部２５２は、記号領域３０６を囲む四角い枠の辺のうち、隣接する２つの辺だけを、マークとして表示してもよい。たとえば、図２７に示される表示画面例のように、表示制御部２５２は、記号領域３０６を囲む四角い枠の辺のうち、右辺３２１ａおよび下辺３２１ｂを、ドラッグ操作のタッチ領域を示すマークとして、表示してもよい。
【０１０３】
また、ドラッグ操作の対象となる辺に、ドラッグ操作が可能であることを示すアイコン（例えば、図２７に示されるような辺上に配置された矢印）を表示してもよい。これにより、記号領域３０６を示す四角枠とドラッグ可能な領域を示すマーク（辺）とが兼用され、ユーザインターフェースのための表示が簡素化される。
【０１０４】
また、表示制御部２５２は、ドラッグ操作のタッチ領域を示すマークの表示位置として、記号領域３０６を中心とする左右両方の位置（例えば、右下角の外側と左下角の外側、または、右辺と左辺）に、マークを表示してもよい。これにより、利き手が左右のどちらであっても使いやすいこと、つまり、ユニバーサルデザインの観点で優れた操作性が実現される。
【０１０５】
また、表示制御部２５２は、記号領域３０６に対するドラッグ操作のタッチ領域を示すマークとして、四角形のマーク３２０ａ〜３２０ｄを表示したが、マークの形状としては、これに限られず、丸い形状、あるいは、アイコンであってもよい。
【０１０６】
また、表示制御部２５２は、記号領域３０６に対するドラッグ操作のタッチ領域を示すマークとして、四角枠の色とは異なる色のマークを表示してもよい。これにより、ドラッグ操作によるサイズ変更が可能であることを強調して表示できる。
【０１０７】
また、上記実施の形態では、表示制御部２５２は、記号領域３０６で接触操作が検出された場合に、記号領域３０６を囲む四角い枠と、４つの四角形のマーク３２０ａ〜３２０ｄとを表示したが、記号領域３０６を囲む四角い枠だけを表示してもよい。この場合には、表示制御部２５２は、記号領域３０６を囲む四角い枠の角をタッチしたドラッグ操作が行われた場合に、記号領域３０６の表示サイズを変更（つまり、記号のサイズ変更）する。
【０１０８】
以上、一つまたは複数の態様に係る表示装置について、実施の形態および変形例に基づいて説明したが、本発明は、これらの実施の形態および変形例に限定されるものではない。本発明の趣旨を逸脱しない限り、当業者が思いつく各種変形を本実施の形態および変形例に施したものや、異なる実施の形態および変形例における構成要素を組み合わせて構築される形態も、一つまたは複数の態様の範囲内に含まれてもよい。
【産業上の利用可能性】
【０１０９】
本発明は、文字および図形等の挿入を伴う画像編集を容易に行うことができ、例えば、スマートフォンおよびタブレット端末等の携帯端末、デジタル複合機、およびプリンタ等の各種表示装置等に適用できる。
【符号の説明】
【０１１０】
１０  表示システム
２０  サーバ
３０  ネットワーク
４０  機器
１００、２００、２５０  表示装置
１０１  入力受付部
１０２  操作検出部
１０３、２０２、２５２  表示制御部
１０４  記憶部
１０５  表示部
１０６  通信部
２０１  位置指定部
３００  画像
３０１  メニューバー
３０２  アイコン
３０３  フリー文字入力モードを示すアイコン
３０４  文字入力キーボード
３０５  文字入力ボックス
３０６、３１０  記号領域
３０７、３０８  確定ボタン
３０９  記号領域内の位置
３１１  記号領域の一部
３２０ａ〜３２０ｄ  マーク
３２１ａ  右辺（マーク）
３２１ｂ  下辺（マーク）
【図１】
2014132430.tif 000003
【図２】
2014132430.tif 000004
【図３】
2014132430.tif 000005
【図４】
2014132430.tif 000006
【図５】
2014132430.tif 000007
【図６】
2014132430.tif 000008
【図７】
2014132430.tif 000009
【図８】
2014132430.tif 000010
【図９】
2014132430.tif 000011
【図１０】
2014132430.tif 000012
【図１１】
2014132430.tif 000013
【図１２】
2014132430.tif 000014
【図１３】
2014132430.tif 000015
【図１４】
2014132430.tif 000016
【図１５】
2014132430.tif 000017
【図１６】
2014132430.tif 000018
【図１７】
2014132430.tif 000019
【図１８】
2014132430.tif 000020
【図１９】
2014132430.tif 000021
【図２０】
2014132430.tif 000022
【図２１】
2014132430.tif 000023
【図２２】
2014132430.tif 000024
【図２３】
2014132430.tif 000025
【図２４】
2014132430.tif 000026
【図２５】
2014132430.tif 000027
【図２６】
2014132430.tif 000028
【図２７】
2014132430.tif 000029